(57)【特許請求の範囲】
【請求項１】
内容物が収容される容器本体の口部に装着され、前記容器本体内に連通する連通孔が形成された装着部材と、
前記装着部材に配設され、前記連通孔をその軸線方向に直交する径方向の外側から囲繞する筒状のホルダ部材と、
前記ホルダ部材の内側に配設、保持され、内容物を被塗布部に塗布する塗布部材と、
を備え、
前記ホルダ部材の内周面には、その内側に向けて突出し、前記塗布部材の外周面に形成された環状の係合凹部に嵌合される環状の装着突部が設けられ、
前記装着突部には、前記ホルダ部材の軸線回りに周回する周方向の延在を分断する間欠部が形成され、
前記装着突部のうち前記間欠部を画成する一対の周端部が、前記ホルダ部材の軸線方向の位置を互いに異ならせて配置されていることを特徴とする塗布具。
【請求項２】
前記装着突部のうち前記軸線に沿って前記ホルダ部材の開口端側を向く面が、一対の前記周端部のうち前記ホルダ部材の軸方向の位置が前記ホルダ部材の開口端により近接する一方の周端部から当該周端部が画成する前記間欠部に対して前記周方向に離間するにしたがって、前記軸線に沿って前記開口端から離間する側に漸次向かうように傾斜していることを特徴とする請求項１に記載の塗布具。
【請求項３】
一対の前記周端部のうち前記ホルダ部材の軸方向の位置が前記ホルダ部材の開口端により近接する一方の周端部において前記軸線に沿って前記開口端側の反対側を向く面が、当該周端部が画成する前記間欠部に対して前記周方向に離間するにしたがって、前記軸線に沿って前記開口端から離間する側に漸次向かうように傾斜していることを特徴とする請求項１または２に記載の塗布具。
【発明の詳細な説明】
【技術分野】
【０００１】
本発明は、塗布部材を保持するホルダ部材に装着突部を設けた塗布具に関するものである。
【背景技術】
【０００２】
内容物を収容する容器本体の口部に装着され、容器本体内に連通する連通孔が形成された装着部材と、装着部材に備え付けられ、内側が連通孔に連通する筒状のホルダ部材と、ホルダ部材の内側に配設され、内容物を被塗布部に塗布する塗布部材と、を備える、塗布具が提案されている（例えば、特許文献１参照）。このような塗布具では、スポンジなどで形成された塗布部材は、ホルダ部材の内周面に全周にわたって設けられた装着突部に係止させることにより、ホルダ部材内で保持されている。
【先行技術文献】
【特許文献】
【０００３】
【特許文献１】特開２００４−９１００３号公報
【発明の概要】
【発明が解決しようとする課題】
【０００４】
しかし、このような塗布具では、塗布部材をホルダ部材に取り付ける際、塗布部材をホルダ部材に対して上方から押し込むだけでは塗布部材をホルダ部材の装着突部に係止させることができないことがあった。そのため、必要に応じて、塗布部材をホルダ部材の下方から引き込むことによって塗布部材をホルダ部材内の所定位置に配置させると共に装着突部に係止させる必要があった。
【０００５】
本発明は、前述の課題に鑑みてなされたもので、塗布部材をホルダ部材に対して容易に装着できる塗布具を提供することを目的とする。
【課題を解決するための手段】
【０００６】
本発明は、上記のような課題を解決するために以下のような手段を採用した。すなわち、本発明の塗布具は、内容物が収容される容器本体の口部に装着され、前記容器本体内に連通する連通孔が形成された装着部材と、前記装着部材に配設され、前記連通孔をその軸線方向に直交する径方向の外側から囲繞する筒状のホルダ部材と、前記ホルダ部材の内側に配設、保持され、内容物を被塗布部に塗布する塗布部材と、を備え、前記ホルダ部材の内周面には、その内側に向けて突出し、前記塗布部材の外周面に形成された環状の係合凹部に嵌合される環状の装着突部が設けられ、前記装着突部には、前記ホルダ部材の軸線回りに周回する周方向の延在を分断する間欠部が形成され、前記装着突部のうち前記間欠部を画成する一対の周端部が、前記ホルダ部材の軸線方向の位置を互いに異ならせて配置されていることを特徴とする。
【０００７】
この発明では、塗布部材をホルダ部材内に挿入して装着突部上に押し付けた状態で、塗布部材をホルダ部材に対して相対的に上記周方向に回転させて装着突部に対して捩じ込むことにより、塗布部材がホルダ部材に取り付けられる。
すなわち、ホルダ部材内に押し込まれた塗布部材をホルダ部材に対して相対的に上記周方向に回転させると、塗布部材は、装着突部の一対の周端部のうち上記軸線に沿う押込方向とは反対側（例えば上方）に位置する一方の周端部に上記周方向で突き当たりながら間欠部を通過することで、装着突部を上記軸線に沿う押込方向（例えば下方）に乗り越える。塗布部材を上記周方向にさらに回転させると、塗布部材が順次上記一方の周端部に突き当たり、装着突部を乗り越えていく。このように塗布部材をホルダ部材に対して回転させるにしたがって、塗布部材の係合凹部は、装着突部に到達し、装着突部が係合凹部内に嵌合する。
このように、塗布部材をホルダ部材内に押し込んだ状態で上記周方向に回転させるだけで塗布部材をホルダ部材に装着でき、例えば上述のように塗布部材をホルダ部材の下方から引き込む必要がないので、塗布部材をホルダ部材に対して容易に装着できる。
また、このように間欠部によって形成される隙間を利用して塗布部材をホルダ部材に装着させているので、装着突部の上記径方向の大きさを大きくしても、塗布部材のホルダ部材への装着容易性を維持しつつ、装着後に塗布部材をホルダ部材から抜けにくくすることができる。
【０００８】
また、本発明の塗布具では、前記装着突部のうち前記軸線に沿って前記ホルダ部材の開口端側を向く面が、一対の前記周端部のうち前記ホルダ部材の軸方向の位置が前記ホルダ部材の開口端により近接する一方の周端部から当該周端部が画成する前記間欠部に対して前記周方向に離間するにしたがって、前記軸線に沿って前記開口端から離間する側に漸次向かうように傾斜してもよい。
この場合では、塗布部材を装着突部に押し付けた状態でホルダ部材に対して上記周方向で回転させたときに、塗布部材が装着突部の傾斜面に沿って案内され、塗布部材を押込方向に誘導しやすくなる。このため、塗布部材をホルダ部材に対してより容易に装着できる。
【０００９】
また、本発明の塗布具では、一対の前記周端部のうち前記ホルダ部材の軸方向の位置が前記ホルダ部材の開口端により近接する一方の周端部において前記軸線に沿って前記開口端側の反対側を向く面が、当該周端部が画成する前記間欠部に対して前記周方向に離間するにしたがって、前記軸線に沿って前記開口端から離間する側に漸次向かうように傾斜してもよい。
この場合では、塗布部材を装着突部に押し付けた状態でホルダ部材に対して上記周方向で回転させたときに、塗布部材のうち一方の周端部に突き当てられた部分が、この傾斜面によって案内されることにより、装着突部のうち塗布部材の押込方向へ潜り込みやすくなる。塗布部材のうち装着突部を乗り越えた部分は、装着突部によって塗布部材の押込方向へ案内され、塗布部材が塗布部材の押込方向に誘導される。このため、塗布部材をホルダ部材に対してより容易に装着できる。
【発明の効果】
【００１０】
この発明にかかる塗布具によれば、塗布部材をホルダ部材内に挿入して装着突部に押し付けた状態で、ホルダ部材に対して相対的に上記周方向に回転させて捩じ込むことにより、例えば塗布部材をホルダ部材の下方から引き込む必要がなく、塗布部材をホルダ部材に対して容易に装着できる。
【図面の簡単な説明】
【００１１】
【図１】本発明の第１実施形態にかかる塗布具を具備する塗布容器を示す軸方向断面図である。
【図２】図１のホルダ部材を示す軸方向断面図である。
【図３】図１のホルダ部材を示す上面図である。
【図４】図１の塗布部材をホルダ部材に装着する方法を説明する軸方向断面図である。
【図５】同じく、図１の塗布部材をホルダ部材に装着する方法を説明する軸方向断面図である。
【図６】本発明の第１実施形態にかかる塗布具のホルダ部材を示す軸方向断面図である。
【図７】本発明を適用可能な他の塗布具のホルダ部材を示す軸方向断面図である。
【図８】本発明を適用可能な他の塗布具のホルダ部材を示す軸方向断面図である。
【図９】図８のホルダ部材を示す上面図である。
【図１０】本発明を適用可能な他の塗布具のホルダ部材を示す軸方向断面図である。
【図１１】図１０のホルダ部材を示す上面図である。
【図１２】本発明を適用可能な他の塗布具のホルダ部材を示す軸方向断面図である。
【図１３】本発明を適用可能な他の塗布具のホルダ部材を示す軸方向断面図である。
【発明を実施するための形態】
【００１２】
以下、本発明の第１実施形態にかかる塗布具を、図面に基づいて説明する。なお、以下の説明に用いる各図面では、各部材を認識可能な大きさとするために縮尺を適宜変更している。
【００１３】
本実施形態にかかる塗布具１は、図１に示すように、上端に開口部２Ａが形成された例えば有底円筒状の容器本体２の有頂円筒状の口部３に装着されている。塗布具１は、容器本体２に装着された有頂円筒状の装着部材１１と、装着部材１１に取り付けられた円筒状のホルダ部材１２と、ホルダ部材１２の内側に配設された例えばスポンジなどで形成された円柱状の塗布部材１３と、ホルダ部材１２及び塗布部材１３を被覆する有頂円筒状のカバー部材１４と、を備える。
これら容器本体２、装着部材１１、ホルダ部材１２、塗布部材１３及びカバー部材１４は、それぞれの中心軸線が共通軸上に位置する状態で配設されている。以下、この共通軸を中心軸Ｏと称し、図１において中心軸Ｏに沿って容器本体２から塗布部材１３に向かう方向を上方、その逆方向を下方とする。また、中心軸Ｏから見た平面視で中心軸Ｏに直交する方向を径方向、中心軸Ｏ回りで周回する方向を周方向と称する。
【００１４】
容器本体２の口部３の頂壁部の中央部には、容器本体２内に収容された例えば液剤などの内容物を容器本体２外に流通させる開口部２Ａが形成されている。また、口部３の外周面には、径方向外側に向けて突出する第１取付突部３Ａが全周にわたって突設されている。
【００１５】
装着部材１１は、口部３の頂壁部上に配設された平面視で円形板状の天板部２１と、天板部２１の外周縁から下方に向けて連設され、口部３に装着される円筒状の内筒部２２と、内筒部２２よりも径方向外側に配設されて外筒部２３と、内筒部２２及び外筒部２３を接続する平面視で円環状の接続部２４と、を有する。これら天板部２１、内筒部２２、外筒部２３及び接続部２４は、これらの中心軸線が中心軸Ｏ上に位置する状態で配設されている。
【００１６】
天板部２１の中央部には、容器本体２内に連通する連通孔２１Ａが形成されており、天板部２１の連通孔２１Ａの開口縁には、円筒状の延長筒部２５が上方に向けて突設されている。延長筒部２５の上端部の内周面には、径方向内側に向けて突出する環状突出部２６が全周にわたって突設されている。また、天板部２１の下面には、口部３の頂壁部に形成された開口部２Ａの開口縁に嵌め込まれる円筒状の突出筒部２７が下方に向けて突設されている。
内筒部２２の下端部の内周面には、径方向外側に向けて陥没し、第１取付突部３Ａに係止される第１取付凹部２２Ａが全周にわたって形成されており、内筒部２２は、口部３に対してアンダーカット嵌合されている。また、内筒部２２の上端部は、接続部２４よりも上方に突出しており、内筒部２２の上端部の外周面には、径方向内側に向けて陥没する第２取付凹部２２Ｂが全周にわたって形成されている。
外筒部２３の外周面には、雄ネジ部２３Ａが形成されている。
【００１７】
ホルダ部材１２は、連通孔２１Ａを径方向外側から囲繞しており、図１から図３に示すように、ホルダ部材１２の上端は、開口端となっている。また、ホルダ部材１２の上下方向の中間部の内周面には、径方向内側に向けて突出する平面視で円環板状の装着突部３１が突設されている。
装着突部３１には、周方向の延在を分断する２つの間欠部３２が形成されている。間欠部３２は、中心軸Ｏを径方向で挟む両側に形成されており、装着突部３１を第１部分３３と第２部分３４とに分断する。
【００１８】
装着突部３１の第１及び第２部分３３、３４の上面は、図２に示すように、間欠部３２によって形成される第１及び第２部分３３、３４の一方の（図３において時計回り方向側の）周端部３３Ａ、３４Ａから他方の（図３において反時計回り方向側の）周端部３３Ｂ、３４Ｂまで周方向（図３において反時計回り）に向かうにしたがって漸次下方に向かうように傾斜している。なお、周端部３３Ａ、３４Ａの上面の上下方向の位置は、同等となっている。周端部３３Ｂ、３４Ｂの上面についても同様である。一方、装着突部３１の第１及び第２部分３３、３４の下面は、傾斜していない。すなわち、装着突部３１の第１及び第２部分３３、３４それぞれは、一方の周端部３３Ａ、３４Ａから他方の周端部３３Ｂ、３４Ｂまで周方向で向かうにしたがって上方から漸次薄くなるように形成されている。
【００１９】
また、ホルダ部材１２の下端部には、図１及び図２に示すように、径方向内側に向けて突出し、第２取付凹部２２Ｂに係止される第２取付突部１２Ａが全周にわたって形成されており、装着部材１１の内筒部２２の上端部に嵌合されている。
【００２０】
塗布部材１３の中央部には、図１に示すように、上下方向に全長にわたって延在する貫通孔１３Ａが形成されており、突出筒部２７の外側に嵌め込まれている。また、塗布部材１３の上端部は、ホルダ部材１２の上端及び突出筒部２７の上端よりも上方に突出しており、連通孔２１Ａ及び突出筒部２７の内側を通って流出する内容物を保持し、加圧されることによって保持している内容物を滲み出させる。
塗布部材１３の上下方向の中間部の外周面には、装着突部３１が嵌合される例えばスリットなどの係合凹部１３Ｂが全周にわたって形成されている。係合凹部１３Ｂは、スリットに限らず、溝であってもよい。
【００２１】
カバー部材１４は、平面視で円形板状の天壁部４１と、天壁部４１の外周縁から下方に向けて延設された円筒状の周壁部４２と、を有する。
天壁部４１の中央部の下面には、延長筒部２５の内側に配設され、延長筒部２５の環状突出部２６に当接する円柱状の栓柱部４３が下方に向けて突設されている。栓柱部４３が環状突出部２６に当接することにより、連通孔２１Ａ及び延長筒部２５の内側を通した内容物の容器本体２内から外部への流通が遮断される。
周壁部４２の下端部の内周面には、外筒部２３の雄ネジ部２３Ａと螺合する雌ネジ部４２Ａが形成されている。
【００２２】
次に、以上のような構成の塗布具１における塗布部材１３のホルダ部材１２への装着方法について説明する。
まず、図４（ａ）に示すような治具５０を用いて塗布部材１３を保持する。治具５０は、平面視で円形板状の上板部５１と、上板部５１の周縁から下方に向けて延設された円筒状の囲繞筒部５２と、上板部５１の中央部から下方に向けて延設された円柱状の挿入部５３と、を有する。囲繞筒部５２は、塗布部材１３を径方向外側から囲む。また、挿入部５３は、塗布部材１３の貫通孔１３Ａ内に挿入されており、上端部は、上板部５１よりも上方に突出しており、治具５０の保持部分となっている。
【００２３】
塗布部材１３を治具５０で保持した後、図４（ｂ）に示すように、治具５０を中心軸Ｏ回り（上方からの平面視で反時計回り）で回転させながら、塗布部材１３をホルダ部材１２に対して上方から押し込む。これにより、塗布部材１３の下面は、装着突部３１の上面に押し付けられる。塗布部材１３がホルダ部材１２に対して中心軸Ｏ回りで回転されているので、塗布部材１３の下端部は、装着突部３１の第１及び第２部分３３、３４における周端部３３Ａ、３４Ａに対して周方向で突き当たる。そして、図５（ａ）に示すように、塗布部材１３のうち周端部３３Ａ、３４Ａに突き当たった部分は、係合凹部１３Ｂのうちこの部分に上下方向で対応する部分が下方へ開くことによって捲れ、間欠部３２を通って装着突部３１の下方へ潜り込み、装着突部３１を下方に乗り越える。
【００２４】
さらに塗布部材１３をホルダ部材１２に対して中心軸Ｏ回りに回転させると、図５（ｂ）に示すように、塗布部材１３の下端部のうち周端部３３Ａ、３４Ａに突き当たった部分が装着突部３１を順次下方に乗り越える。塗布部材１３の下端部が全周にわたって装着突部３１を下方に乗り越えると、塗布部材１３の係合凹部１３Ｂは、全周にわたって装着突部３１と嵌合する。
その後、塗布部材１３から治具５０を取り外す。以上のようにして、塗布部材１３をホルダ部材１２に装着する。
ここで、塗布部材１３をホルダ部材１２に対して中心軸Ｏ回りで１回転させることによって塗布部材１３をホルダ部材１２に装着させてもよく、２回転以上させることによって塗布部材１３をホルダ部材１２に装着させてもよい。また、塗布部材１３をホルダ部材１２に対して上方から押し込んだ時点で塗布部材１３の係合凹部１３Ｂの一部が装着突部３１と嵌合していてもよい。さらに、治具５０を用いずに塗布部材１３をホルダ部材１２に装着してもよい。
【００２５】
以上のような構成の塗布具１によれば、塗布部材１３を装着突部３１上に押し付けるようにホルダ部材１２内に挿入した状態でホルダ部材１２に対して相対的に周方向で回転させて捩じ込むだけで、塗布部材１３をホルダ部材１２に対して容易に装着できる。
ここで、装着突部３１の上面が周方向で進むにしたがって下方に向かうように傾斜しているので、塗布部材１３の下端部を下方に誘導しやすくなり、塗布部材１３の装着をより容易にする。
また、装着性を低下させることなく装着突部３１の径方向の幅を広くすることができるので、装着後に塗布部材１３を上方へ引っ張るなどしても、塗布部材１３がホルダ部材１２から離脱しにくくなる。
【００２６】
次に、本発明の第２実施形態にかかる塗布具を、図面に基づいて説明する。なお、ここで説明する実施形態は、その基本的構成が上述した実施形態と同様であり、上述した実施形態に別の要素を付加したものである。したがって、以下の図面において上記図面と同一構成要素に同一符号を付し、この説明を省略する。
【００２７】
図６及び図７に示すように、本実施形態にかかる塗布具のホルダ部材１００の装着突部１０１では、第１及び第２部分１０２、１０３の一方の周端部１０２Ａ、１０３Ａの下面が、上方からの平面視で時計回りに向かうにしたがって上方を向かうように傾斜している。
このような構成のホルダ部材１００に塗布部材１３を装着する場合には、上述した実施形態と同様に例えば治具５０を用いて塗布部材１３をホルダ部材１００内に押し込むが、塗布部材１３の下端部のうち装着突部１０１の第１及び第２部分１０２、１０３において上方からの平面視で反時計回り側にある一方の周端部に突き当たる部分は、これら周端部の下面に形成されている傾斜面に沿って下方へ案内される。そして、塗布部材１３の上記部分は、間欠部３２を通って装着突部１０１の下方へ潜り込み、装着突部１０１を下方に乗り越える。その後、上述した実施形態と同様に塗布部材１３をホルダ部材１００に装着する。
【００２８】
以上のような構成のホルダ部材１００を備える塗布具でも、上述した実施形態と同様の作用、効果を奏するが、塗布部材１３の下端部のうち上記一方の周端部に突き当たる部分がこれら周端部の下面に沿って案内され、装着突部１０１よりも下方へ潜り込みやすくなる。したがって、塗布部材１３をホルダ部材１００に対してより容易に装着できる。
なお、本実施形態では、第１及び第２部分１０２、１０３のうち上記一方の周端部の下面のみを傾斜面としているが、例えば図７に示すようなホルダ部材１１０であってもよい。このホルダ部材１１０では、装着突部１１１の第１及び第２部分１１２、１１３それぞれの下面全体が、上面と同様に、上方からの平面視で反時計回り側にある一方の周端部から他方の周端部まで上方からの平面視で時計回りに向かうにしたがって上方を向くように傾斜している。
【００２９】
なお、本発明は上記実施形態に限定されるものではなく、本発明の趣旨を逸脱しない範囲において種々の変更を加えることができる。
例えば、ホルダ部材の装着突部の形状は、例えば図８から図１３に示すような形状など、適宜変更されてもよい。
図８及び図９に示すホルダ部材１２０では、装着突部１２１に間欠部１２２が１つのみ形成されている。
また、図１０及び図１１に示すホルダ部材１３０では、装着突部１３１に４つの間欠部１３２が形成されており、装着突部１３１は、第１から第４部分１３３〜１３６に分割されている。間欠部１３２は、装着突部１３１において周方向で等間隔に形成されている。
さらに、図１２に示すホルダ部材１４０の上端部の内周面には、雌ネジ部１４１が形成されている。これに対応して、塗布部材（図示略）にも雄ネジ部が形成されている。このようなホルダ部材１４０では、塗布部材を中心軸回りに回転させて塗布部材をホルダ部材１４０に螺合させていくだけで塗布部材を装着突部３１に対して押し付けることができる。なお、塗布部材が弾性変形することによって雌ネジ部１４１と係合することができるので、塗布部材には雄ネジ部を形成しなくてもよい。
また、図１３に示すホルダ部材１５０では、装着突部１５１を形成する第１及び第２部分１５２、１５３の一対の周端部のうち上下方向の厚さが薄い一方の周端部（上方から見た平面視で反時計回り方向側の周端部）の下面には、下方に向けて係止突部１５１Ａが突設されている。なお、図１３には、第１部分１５２に形成された係止突部１５１Ａのみ示されているが、第２部分１５３にも同様に係止突部１５１Ａが形成されている。この係止突部１５１Ａは、塗布部材１３の係合凹部１３Ｂに装着突部１５１に嵌合させると、塗布部材１３に引っかかることにより、塗布部材１３をホルダ部材１５０からより離脱しにくくさせる。
ここで、このような構成の装着突部１２１、１３１の下面の形状を上述した第２実施形態にかかる装着突部１０１、１１１と同様の形状としてもよい。また、ホルダ部材１４０の装着突部３１の形状を第２実施形態にかかる装着突部１０１、１１１や上述した装着突部１２１、１３１の形状としてもよい。同様に、ホルダ部材１５０の装着突部１５１の形状を第２実施形態にかかる装着突部１０１、１１１や上述した装着突部１２１、１３１と同様の形状としてもよい。図１２に示すホルダ部材１４０の雌ネジ部１４１を図７に示すホルダ部材１１０に適用する際には、雌ネジ部１４１によって画成される径方向内側に向けて突出する突出部分と装着突部１１１とが一体となって螺旋形状を形成するように配設されていることも可能である。
【００３０】
装着突部は、上面が一方の周端部から他方の周端部に周方向に向かうにしたがって下方に向かうように傾斜しているが、間欠部を画成する一対の周端部が上下方向で位置を互い異ならせて配置されていれば、上面を傾斜させる必要はない。
装着突部は、上下方向で１つのみ形成されているが、複数形成されてもよい。同様に、塗布部材には、係合凹部が上下方向で複数形成されてもよい。
間欠部は、少なくとも１つ形成されていればよく、３つや５つ以上形成されてもよい。
装着部材とホルダ部材とは、別体として形成されているが、一体に形成されてもよい。
ホルダ部材の中心軸線は、容器本体の中心軸線と一致している必要はなく、容器本体の中心軸線と平行であっても、角度をなしていてもよい。
ホルダ部材の形状は、筒状であれば、円筒状に限らず、角筒状など、他の形状であってもよい。同様に、塗布部材の形状は、円柱状に限らず、角柱状など、他の形状であってもよい。
塗布部材は、容器本体内から流出させた内容物を被塗布部に塗布できれば、スポンジに限らず、他の部材で形成されてもよい。
装着部材には、塗布部材の貫通孔内に挿入される延長筒部が設けられているが、延長筒部が設けられていなくてもよく、塗布部材に貫通孔が形成されていなくてもよい。また、装着部材に延長筒部を設けない替わりに、カバー部材の栓柱部が連通孔を閉塞する構成としてもよい。
【産業上の利用可能性】
【００３１】
この発明によれば、塗布部材をホルダ部材に対して容易に装着できる塗布具に関して、産業上の利用可能性が認められる。
【符号の説明】
【００３２】
１  塗布具、２  容器本体、２Ａ  開口部、３  口部、１１  装着部材、１２，１００，１１０，１２０，１３０，１４０  ホルダ部材、１３  塗布部材、１３Ｂ  係合凹部、２１Ａ  連通孔、３１，１０１，１１１，１２１，１３１  装着突部、３２，１２２，１３２  間欠部、３３Ａ，３４Ａ，１０２Ａ，１０３Ａ  一方の周端部、３３Ｂ，３４Ｂ  他方の周端部
【図１】
0006499005.tif 000002
【図２】
0006499005.tif 000003
【図３】
0006499005.tif 000004
【図４】
0006499005.tif 000005
【図５】
0006499005.tif 000006
【図６】
0006499005.tif 000007
【図７】
0006499005.tif 000008
【図８】
0006499005.tif 000009
【図９】
0006499005.tif 000010
【図１０】
0006499005.tif 000011
【図１１】
0006499005.tif 000012
【図１２】
0006499005.tif 000013
【図１３】
0006499005.tif 000014